(57)【特許請求の範囲】
【請求項１】
音響信号を入力してミキシングし出力するミキシング装置であって、
入力した音響信号をミキシングした音響信号を生成する内部ミキサ手段と、
外部機器で生成した音響信号を入力する手段と、
前記内部ミキサ手段で生成した音響信号と前記外部機器で生成した音響信号とを所定のモニタ用ミックスバランスでミキシングし、モニタ用出力信号を生成する手段と、
複数のモニタ用ミックスバランス値から１つを選択するためのモニタ操作子であって、前記１つのモニタ用ミックスバランス値は、モニタ用にミキシングされる各信号のミックスバランスを決定する各信号レベル値でなる１組のパラメータであるものと、
前記モニタ操作子によって選択されたモニタ用ミックスバランス値に応じて、前記モニタ用出力信号を生成する手段のモニタ用ミックスバランスを変更する手段と
を備えたことを特徴とするミキシング装置。
【請求項２】
請求項１に記載のミキシング装置において、
前記各モニタ操作子によって選択可能な複数のモニタ用ミックスバランス値をそれぞれ設定する手段をさらに備えたことを特徴とするミキシング装置。
【請求項３】
音響信号を入力してミキシングし出力するミキシング装置であって、
入力した音響信号をミキシングした音響信号を生成する内部ミキサ手段と、
外部機器で生成した音響信号を入力する手段と、
前記内部ミキサ手段で生成した音響信号と前記外部機器で生成した音響信号とを所定のモニタ用ミックスバランスでミキシングし、モニタ用出力信号を生成する手段と、
押下する毎に第１のモニタ用ミックスバランス値と第２のモニタ用ミックスバランス値とを交互に選択するモニタ操作子であって、前記第１および第２のモニタ用ミックスバランス値は、それぞれ、モニタ用にミキシングされる各信号のミックスバランスを決定する各信号レベル値でなる１組のパラメータであるものと、
前記モニタ操作子によって選択された第１または第２のモニタ用ミックスバランス値に応じて、前記モニタ用出力信号を生成する手段におけるモニタ用ミックスバランスを変更する手段と
を備えたことを特徴とするミキシング装置。
【請求項４】
請求項３に記載のミキシング装置において、
前記モニタ操作子を継続して押下し続けたとき、前記第１のモニタ用ミックスバランス値と第２のモニタ用ミックスバランス値を設定する画面を表示し、該画面で前記第１のモニタ用ミックスバランス値と第２のモニタ用ミックスバランス値を設定する手段をさらに備えたことを特徴とするミキシング装置。
【請求項５】
請求項２または４に記載のミキシング装置において、
前記モニタ用ミックスバランス値を設定する際に、所定のスイッチの操作に応じて設定対象のモニタ用ミックスバランス値に所定の固定値を設定する手段をさらに備えたことを特徴とするミキシング装置。
【請求項６】
音響信号を入力してミキシングし出力するミキシング装置であって、
入力した音響信号から録音用の音響信号を生成し、外部録音機器に出力する手段と、
入力した音響信号からモニタ用の音響信号を内部生成する手段と、
外部機器で生成した音響信号を入力する手段と、
前記内部生成したモニタ用の音響信号と前記外部機器で生成した音響信号とを所定のモニタ用ミックスバランスでミキシングし、モニタ用出力信号を生成する手段と、
複数のモニタ用ミックスバランス値から１つを選択するためのモニタ操作子であって、前記１つのモニタ用ミックスバランス値は、モニタ用にミキシングされる各信号のミックスバランスを決定する各信号レベル値でなる１組のパラメータであるものと、
前記モニタ操作子によって選択されたモニタ用ミックスバランス値に応じて、前記モニタ用出力信号を生成する手段のモニタ用ミックスバランスを変更する手段と
を備えたことを特徴とするミキシング装置。
【発明の詳細な説明】
【技術分野】
【０００１】
この発明は、種々の音響信号を入力してミキシングし出力するミキシング装置に関し、特に、内部生成した音響信号と外部機器からの音響信号とをミキシングするに当たって、それらの信号のモニタ用ミックスバランスを複数設定できるようにしたミキシング装置に関する。
【背景技術】
【０００２】
従来より、各種の音響信号（例えば、マイクなどで収集した音響信号、各種楽器から出力される音響信号、各種ＭＩＤＩ音源から出力される音響信号、シーケンサから出力される音響信号など）を入力し、適宜ミキシングしエフェクト付与して出力するミキシング装置が知られている。このようなミキシング装置は、通常、モニタ用の出力端子とモニタスイッチを備えている。モニタスイッチをオンすることにより、モニタ出力端子に接続されているスピーカまたはヘッドホンなどから、最終的なステレオ出力をモニタすることができ、これによりミキシングの具合が適正であるかなどについて確認することができる。
【０００３】
一方、近年ではパーソナルコンピュータ（ＰＣ）上で所定のプログラムを動作させることにより、音楽製作の各種の機能（例えば、ハードディスクレコーディング機能、ミキシング機能、ＭＩＤＩ機器の制御機能など）を実現するいわゆるディジタルオーディオワークステーション（ＤＡＷ）やオーディオシーケンサが知られている。上記ミキシング装置と上記ＤＡＷやシーケンサとを接続し、連携して動作させるものもある。各機器間の接続には、例えばＩＥＥＥ１３９４などの規格に基づくネットワークを用いて、大量のデータを高速転送することができるようになっている。ＰＣ上のＤＡＷやシーケンサで作成した音響信号をミキシング装置に入力し、さらに別の入力系統から音響信号を入力してミキシング装置内部でミキシングおよびエフェクト付与し、上記ＤＡＷやシーケンサからの音響信号とミキシングして最終的な出力とすることができる。
下記非特許文献１は、従来の一般的なディジタルミキサにおけるモニタ機能を開示する。
【非特許文献１】DIGITAL PRODUCTION CONSOLE DM2000 取扱説明書，ヤマハ株式会社，2002年，pp.132-138、“第13章モニター、トークバック”、インターネット<URL:http://www2.yamaha.co.jp/manual/pdf/pa/japan/mixers/DM2000J.pdf>
【発明の開示】
【発明が解決しようとする課題】
【０００４】
ところで、上述したようにミキシング装置のモニタ機能は、基本的にモニタスイッチがオンされたときに最終的なステレオ出力をモニタできるに過ぎない。従って、ミキシング装置内部でエフェクト付与などして生成した音響信号のみを確認したり、外部のＤＡＷなどから入力した音響信号のみを確認したりすることはできなかった。ミキシング装置への入力が多系統になっている場合、モニタ機能についても柔軟で多様な形態でモニタできるようにすることが望まれる。
【０００５】
この発明は、上述の従来技術における問題点に鑑み、内部生成した音響信号と外部機器からの音響信号とをミキシングするに当たって、単なるモニタのオン／オフだけでなく、柔軟で多様な形態でモニタを行うことができるようにすることを目的とする。
【課題を解決するための手段】
【０００６】
この目的を達成するため、この発明は、ミキサ内部で生成した音響信号と外部の機器から入力した音響信号とをミックスして出力させる際に、そのモニタミックスバランスを複数種類持つようにしたことを特徴とする。モニタ操作子により切り替えられる複数種類のモニタ状態の各々におけるモニタミックスバランスは、任意に設定することができる。
【発明の効果】
【０００７】
この発明によれば、ミキサ内部で生成した音響信号と外部の機器から入力した音響信号とをミックスして出力させる際に、そのモニタミックスバランスを複数種類持つようにしているので、内部生成のステレオ信号のみをモニタしたり、外部機器からのステレオ信号のみをモニタしたり、これらを所定のバランスでミックスした信号をモニタしたりするなど柔軟で多様な出力信号のモニタを行うことができる。
【発明を実施するための最良の形態】
【０００８】
以下、図面を用いてこの発明の実施の形態を説明する。
【０００９】
図１は、この発明を適用したミキシング装置（ミキサ）の構成例を示す。このミキサ１００は、中央処理装置（ＣＰＵ）１０１、メモリ１０２、通信インタフェース（ＩＥＥＥ１３９４  Ｉ／Ｆ）１０３、ディジタルシグナルプロセッサ（ＤＳＰ）１０４、入力ユニット１０５、出力ユニット１０６、およびミキシングコンソール１０７を備えている。１０８は各部を相互に接続するバスラインを示す。
【００１０】
ＣＰＵ１０１は、このミキサ全体の動作を制御する処理装置である。メモリ１０２は、ＣＰＵ１０１が実行するプログラムが格納されたＲＯＭやワークメモリとして利用するＲＡＭからなる。通信Ｉ／Ｆ１０３は、外部の各種の機器（例えば、ＤＡＷやシーケンサとして機能するＰＣ、シンセサイザやディジタルミキサなどの電子楽器や電子機器、あるいは各種のオーディオ装置など）を接続するためのインタフェースである。通信Ｉ／Ｆ１０３は、ＩＥＥＥ１３９４規格を利用して大量のデータ（オーディオデータやＭＩＤＩデータなど）を高速に転送することができるものである。ＤＳＰ１０４は、入力ユニット１０５を介して入力する信号を、ＣＰＵ１０１からの指示に応じて適宜ミキシング処理・エフェクト付与処理し、出力ユニット１０６を介して出力する。入力ユニット１０５は、複数のマイク信号やライン信号などを入力するユニットである。出力ユニット１０６は、ＤＳＰ１０４から出力される信号をディジタル／アナログ変換してスピーカなどに出力するユニットである。ミキシングコンソール１０７は、ユーザが操作するコンソールであり、外部パネル上に複数のコントローラ（入力フェーダ１１１やロータリエンコーダ１１２など）およびディスプレイ１１３を備えている。
【００１１】
図２は、図１に示したミキサ１００にＤＡＷ２００を接続してハードディスクレコーディングを行う際の信号の流れを示す。ミキサ１００に、マイク２２１、ギター２２２、シンセサイザ（Ｓｙｎｔｈ）／音源（ＴＧ）２２３、あるいはその他の機器２２４などから音響信号を入力する。これは図１の入力ユニット１０５や通信インタフェース１０３を介して音響信号を入力するものである。ミキサ１００内では、入力された音響信号に対して必要に応じてイコライザ（ＥＱ）やダイナミクスをかける処理２１１を施し、音質の調整や音量の調整を行う。それらの音響信号は、例えば通信Ｉ／Ｆ１０３経由でＤＡＷ２００に渡され、ＤＡＷ２００で各々のトラックに録音（ハードディスクレコーディング処理２０１）される。あるいは、ミキサ１００内のレコーディングバスにアサインし、左右（Ｌ／Ｒ）の２つにまとめてから通信Ｉ／Ｆ１０３経由でＤＡＷ２００に出力し、ＤＡＷ２００でステレオトラックとして録音（２０１）する。
【００１２】
録音を行なうＤＡＷ２００は、ＰＣ上で所定のプログラムを実行することにより実現している。また、電子音源２０２により例えば伴奏音などを生成出力し、オーディオミキサ２０３を介して出力することができる。録音の際、ミキサ１００では、演奏者が演奏しやすいように、録音する音とは別のバランスやリバーブなどのエフェクト付加する処理をエフェクト処理２１２により行ない、そのように内部生成した出力２１３とＤＡＷ２００から出力された音響信号２１４とをミキシングして（２１５）、モニタ用スピーカ（またはヘッドホンなど）に出力できる。これにより、例えばＤＡＷの音源２０２で生成した伴奏音をモニタしながらマイク２２１やギター２２２などによる演奏入力を録音することができる。
【００１３】
なお、ミキサ１００内のＥＱなどの処理２１１、エフェクト処理２１２、およびミキシング処理２１５などは、図１のＤＳＰ１０４がＣＰＵ１０１の指示に基づいて行うものである。また、ここではハードディスクレコーディングの例を示したが、録音した音響信号および別途入力された音響信号についてモニタしながら全体の調整を行い最終的なステレオ出力を録音するミックスダウンの処理や、ミキサ本体のみで利用することもできる。
【００１４】
図３は、ミキサ１００のパネル外観図を示す。３０１はディスプレイ（図１の１１３）であり、３０２は８個のロータリエンコーダである。各ロータリエンコーダ３０２の上には幾つめのロータリエンコーダであるかを示す１〜８の数字が記されている。以下、各ロータリエンコーダをＲＥ１〜ＲＥ８と呼ぶ。各ＲＥは、ユーザが回転操作するノブの周りに、当該ＲＥで調整するパラメータのレベルを表示するインジケータとなる複数のＬＥＤが設けられている。また、各ＲＥは、ノブを押下することによりオンするプッシュスイッチにもなっている。３０３は、各チャンネルの音量レベルの調整などに利用する８個の入力フェーダである。３０４は、ミキシング後の最終的なステレオ出力の音量レベルを調整するフェーダである。３０５はモニタスイッチ、３０６はシフトスイッチ、３０７はモニタ出力レベル調整用のボリュームである。モニタスイッチ３０５およびシフトスイッチ３０６は、それぞれ、オン／オフ状態を表示するためのＬＥＤを備えている。
【００１５】
なお、実際にはミキサのパネル３００上には図３に示した各操作子以外にも他の操作子（例えば、接続したＤＡＷを直接制御するための操作子など）が設けられているが、ここでは省略する。
【００１６】
このミキサでは、不図示のモニタアウト／ヘッドフォンアウトの出力端子にモニタ用のスピーカやヘッドフォン（図２の２１６）を接続し、出力信号をモニタすることができる。特に、ミキサ１００内部で生成したステレオ信号とＤＡＷ２００からのステレオ信号とをミックスして出力させる際のバランスを、モニタスイッチ３０５がオン（ＬＥＤが点灯）の場合と、オフ（ＬＥＤが消灯）の場合とで、２種類持つことができる。モニタのＬＥＤのオン／オフの切り替えは、モニタスイッチ３０５を押下するごとに交互に切り替わる。なお、本実施形態において「モニタスイッチ３０５がオフ」とは、「モニタ出力しない」という意味ではない。モニタスイッチ３０５がオン（ＬＥＤが点灯）でもオフ（ＬＥＤが消灯）でもモニタ出力はあるものとし、そのオン／オフに応じて、ミキサ１００内部で生成したステレオ信号とＤＡＷ２００からのステレオ信号とをミックスして出力させる際のバランスを切り替えるものである。
【００１７】
さらに、モニタスイッチ３０５を押し続けることにより、図４のような表示がなされ、モニタスイッチ３０５のＬＥＤがオフのときのバランスとＬＥＤがオンのときのバランスを設定することができる。図４において、４１１は現画面がモニタミックスバランスの設定画面であることを示す表示である。４１３は、モニタスイッチ３０５のＬＥＤが消灯（オフ）のときのモニタミックスバランスの現在の設定値を示す表示である。「ＩＮＴ＞１２６」はミキサ装置１００内部で生成したステレオ信号（図２の２１３）のモニタレベルが１２６であることを示し、「０＜ＤＡＷ」はＤＡＷ２００からのステレオ信号（図２の２１４）のモニタレベルが０であることを示している。同様に、４１５は、モニタスイッチ３０５のＬＥＤが点灯（オン）のときのモニタミックスバランスの現在の設定値を示す表示である。「ＩＮＴ＞６３」はミキサ１００内部で生成したステレオ信号のモニタレベルが６３であることを示し、「６３＜ＤＡＷ」はＤＡＷ２００からのステレオ信号のモニタレベルが６３であることを示している。
【００１８】
図４の表示がなされている状態において、表示４１３の下側のＲＥ５を回転操作することにより、表示４１３に示されるモニタミックスバランスを変更することができる。同様に、ＲＥ７を回転操作することにより、表示４１５に示されるモニタミックスバランスを変更することができる。さらに、ＲＥ５，ＲＥ７のノブを押下することにより、それぞれのモニタミックスバランスをイーブンバランスに設定できる。イーブンバランスは、「ＩＮＴ＞６３：６３＜ＤＡＷ」のことである。さらに、シフトスイッチ３０６を押下しながらＲＥ５を押下することにより、所定の初期値のモニタミックスバランスが設定される。ＲＥ７についても同様である。
【００１９】
図５および図６は、モニタミックスバランス設定処理の手順を示す。この処理は、モニタスイッチ３０５の操作がされたときに起動される。まずステップ５０１で、ユーザにより行われた操作についてイベントサーチする。ステップ５０２で、現在モニタスイッチ３０５のＬＥＤが点灯中か否か判定する。点灯中であれば、ステップ５０３でモニタスイッチ３０５のクリックオンイベント（押下の後すぐに離す操作）であるか否か判定する。クリックオンイベントのときは、ステップ５０４で、モニタスイッチ３０５のＬＥＤを消灯する。またステップ５０５で、モニタデータＢをＤＳＰ１０４に転送する。モニタデータＢは、モニタスイッチ３０５のＬＥＤが消灯した状態におけるモニタミックスバランスの値（図４の表示４１３の設定値）が格納されている領域であり、この値をＤＳＰ１０４に転送してモニタのミックスバランスを設定値の通りに設定するものである。ステップ５０５の後、処理終了する。
【００２０】
ステップ５０２でモニタスイッチ３０５のＬＥＤが消灯中のときは、ステップ５０６でモニタスイッチ３０５のクリックオンイベントであるか否か判定する。クリックオンイベントのときは、ステップ５０７で、モニタスイッチ３０５のＬＥＤを点灯する。またステップ５０８で、モニタデータＡをＤＳＰ１０４に転送する。モニタデータＡは、モニタスイッチ３０５のＬＥＤが点灯した状態におけるモニタミックスバランスの値（図４の表示４１５の設定値）が格納されている領域であり、この値をＤＳＰ１０４に転送してモニタのミックスバランスを設定値の通りに設定するものである。ステップ５０８の後、処理終了する。
【００２１】
ステップ５０３またはステップ５０６でモニタスイッチ３０５のクリックオンイベントでないときは、ステップ５０９でモニタスイッチ３０５の押下が継続中か否か判定する。継続中でなければそのまま処理を終了する。継続中のときは、ステップ５１０で、図４に示したモニタミックスバランス設定画面の表示を行う。表示４１３はモニタデータＢの設定値、表示４１５はモニタデータＡの設定値を、それぞれ表示する。
【００２２】
ステップ５１０の後、ステップ６０１で、ＲＥ５の回転操作イベントがあるか否か判定する。あるときは、ステップ６０２でその操作対応量をＭとして、ＩＮＴＶＯＬａ←ＩＮＴＶＯＬａ＋ＭおよびＤＡＷＶＯＬａ←１２６−ＩＮＴＶＯＬａの演算を行う。ＩＮＴＶＯＬａは、モニタＬＥＤがオフのときのミキサ内部のステレオ信号２１３のモニタレベルを格納するワークレジスタであり、ＤＡＷＶＯＬａはＤＡＷからのステレオ信号２１４のモニタレベルを格納するワークレジスタである。ステップ６０２の後、ステップ６０３で、ＩＮＴＶＯＬａ，ＤＡＷＶＯＬａをモニタデータＡに記憶すると共に、図４の表示４１３を設定されたモニタミックスバランスの値に再表示する。
【００２３】
ステップ６０１で回転操作イベントでないときは、ステップ６０４で、ＲＥ５のノブのプッシュイベントであるか否か判定する。プッシュイベントのときは、ステップ６０５で、シフトスイッチ３０６がオンされているか否か判定する。オンされているときは、ステップ６０６で、モニタＬＥＤがオフのときのモニタミックスバランス値の初期値をＩＮＴＶＯＬａとＤＡＷＶＯＬａに設定し、ステップ６０３に進む。ステップ６０５でシフトスイッチ３０６がオンされていないときは、ステップ６０７でイーブンバランスすなわちＩＮＴＶＯＬａおよびＤＡＷＶＯＬａに共に６３を設定し、ステップ６０３に進む。
【００２４】
ステップ６１１〜６１７は、ステップ６０１〜６０７に対応する処理を（６００番台と６１０番台で１の位の数が同じブロックが対応している）行うものである。ただしステップ６１１〜６１７は、モニタＬＥＤがオンのときのミックスバランス値を設定する処理であるので、ＲＥ５の代わりにＲＥ７が、ＩＮＴＶＯＬａの代わりにＩＮＴＶＯＬｂが、ＤＡＷＶＯＬａの代わりにＤＡＷＶＯＬｂが、モニタデータＡの代わりにモニタデータＢが、それぞれ使用される。また、ステップ６１６で設定する初期値は、ステップ６０６で設定する初期値と逆のバランス状態としている。
【００２５】
なお、上記実施形態では外部機器としてＤＡＷを接続した例で説明したが、他の外部機器を用いてもよい。
【００２６】
モニタミックスバランスは、モニタスイッチ３０５のオン／オフに応じて２種類持つ例で説明したが、さらに複数のモニタミックスバランスを使えるようにしてもよい。ステップ６０６，６１６で設定している初期値は、これに限らずどのような値でもよい。
【図面の簡単な説明】
【００２７】
【図１】この発明の実施形態のディジタルミキサのブロック構成図
【図２】実施形態のミキサとＤＡＷとを接続してレコーディングを行うときの信号の流れを示す図
【図３】ミキサのパネル外観図
【図４】モニタミックスバランス設定時の表示例を示す図
【図５】モニタミックスバランス設定処理（その１）のフローチャート図
【図６】モニタミックスバランス設定処理（その２）のフローチャート図
【符号の説明】
【００２８】
１００…ミキサ、１０１…中央処理装置（ＣＰＵ）、１０２…メモリ、１０３…通信インタフェース（ＩＥＥＥ１３９４  Ｉ／Ｆ）、１０４…ディジタルシグナルプロセッサ（ＤＳＰ）、１０５…入力ユニット、１０６…出力ユニット、１０７…ミキシングコンソール、２００…ＤＡＷ、２１１…ＥＱなどの処理、２１２…エフェクト処理、２１５…ミキシング処理、２２１…マイク、２２２…ギター、２２３…シンセサイザ（Ｓｙｎｔｈ）／音源（ＴＧ）、２２４…その他の機器。
【図１】
0004683850.tif 000002
【図２】
0004683850.tif 000003
【図３】
0004683850.tif 000004
【図４】
0004683850.tif 000005
【図５】
0004683850.tif 000006
【図６】
0004683850.tif 000007